(57)【要約】      （修正有）【課題】耐強風性能に優れた頭部装着体の着用具を提供する。【解決手段】頭部装着体の着用具１は、線条体を一体的に曲成してほぼ直立状とし、上方を頭部毛髪へ差し込むための複数の差込片２ａとし、下方を複数の脚部２ｂとするコーム体２と、複数の脚部２ｂの正面部の全体に装着される面状ファスナー３と、複数の脚部２ｂの背面部の全体に装着される補強片４とを備え、複数の差込片２ａにおいて、隣り合う差込片同士の下方側面が密着している。【選択図】図２
0003163981.tif 000002
【実用新案登録請求の範囲】
【請求項１】
線条体を一体的に曲成してほぼ直立状とし、上方を頭部毛髪へ差し込むための複数の差込片とし、下方を複数の脚部とするコーム体と、
前記複数の脚部の正面部の一部又は全体に装着される面状ファスナーと、
前記複数の脚部の背面部の一部又は全体に装着される補強片とを備え、
前記複数の差込片において、隣り合う差込片同士の下方側面が密着している又は正面から見て重なり合っていることを特徴とする頭部装着体の着用具。
【請求項２】
前記線条体が金属線である請求項１に記載の頭部装着体の着用具。
【請求項３】
前記複数の差込片の本数が２８本以上３０本以下である請求項１または請求項２に記載の頭部装着体の着用具。
【請求項４】
前記複数の差込片において、正面から見て両端部に配置されている所定本数の差込片が、それ以外の差込片よりも上方に延びている請求項１〜３のいずれか１項に記載の頭部装着体の着用具。
【考案の詳細な説明】
【技術分野】
【０００１】
本考案は、頭部装着体（例えば、帽子やサンバイザー等）の着用具に関し、特に頭部装着体に対して着脱自在な着用具に関する。
【背景技術】
【０００２】
強風が吹いた時やスポーツ等により激しく動いた時に、頭部装着体（例えば、帽子やサンバイザー等）が頭部から飛ばされる場合がある。
【０００３】
本考案者は、この不具合を未然に防止する技術についての実用新案登録出願を既に行っている（特許文献１）。
【０００４】
特許文献１において本考案者が提案している技術は、「内周縁に汗取りリボンを縫着した帽子、サンバイザー等の着用具であって、鉄線、鋼線又は硬鋼線等の線条体を一体的に曲成し、ほぼ直立状とした櫛歯状コームの上方を頭部毛髪への差込片とし、下方を脚部とし、該脚部の正面部の一部又は全体に、接着剤又は薄板状の取付片を介して白、赤、黒、青、黄、緑又はその他の色からなる面状ファスナーを装着すると共に、背面部の一部又は全体には、前記面状ファスナーと同色又は異色の補強片を、両面接着テープ又は接着剤を介して貼付し、前記汗取りリボンの裏面には、接着剤を介して他の面状ファスナーを装着してなることを特徴とする、着脱可能な帽子、サンバイザー等の着用具。」である。
【０００５】
そして、特許文献１において本考案者が提案している着用具は、上記の構成になるから次のような効果を奏する。鉄線、鋼線又は硬鋼線等の線条体が一体的に曲成され、ほぼ直立状とした櫛歯状コームの上方部を頭部毛髪への差込片とし、下方を脚部とし、該脚部の一部又は全体に、両面接着テープ又は薄板状の取付片を介して白、赤、青、黄、緑又はその他の色からなる面状ファスナーの一側を装着し、前記汗取りリボンの裏面には前記面状ファスナーの他側を装着してなるから、櫛歯状コームと帽子等の汗取りリボンは強く固定され、帽子等の鍔部にかなりの強風を受けても、差込片が頭部毛髪に食い込むので帽子等が頭部から吹き飛ばされることがない。また市販されている櫛歯状コーム、両面接着テープ、薄板状の取付片及び面状ファスナー等の部材を使用し、その組み付け作業も簡素であるから、製作コストが安価となり、また白、赤、黒、青、黄、緑又はその他のカラフルな色彩からなる面状ファスナーが需要者の関心を高めるから、販売促進に寄与する。また取付片の素材は、紙、布、ファイバー、合成樹脂、金属又はこれらの組み合わせからなる薄板状としているので、面状ファスナーへの装着が容易であるという効果も併せ有する。
【先行技術文献】
【特許文献】
【０００６】
【特許文献１】実用新案登録第３１１９４０６号公報
【考案の概要】
【考案が解決しようとする課題】
【０００７】
しかしながら、本考案者は、特許文献１において本考案者が提案している着用具が奏する効果を詳細に検討した結果、街中での使用では強風が吹いたときでも帽子等が飛ばされることはないが、山間部や海辺で使用した際に非常に強い強風が吹いた場合には帽子等が飛ばされるおそれがあることを気付いた。
【０００８】
本考案は、上記の問題点に鑑み、特許文献１で提案されている着用具に比して、耐強風性能に優れた頭部装着体の着用具を提供することを目的とする。
【課題を解決するための手段】
【０００９】
上記目的を達成するために本考案に係る頭部装着体の着用具は、線条体を一体的に曲成してほぼ直立状とし、上方を頭部毛髪へ差し込むための複数の差込片とし、下方を複数の脚部とするコーム体と、前記複数の脚部の正面部の一部又は全体に装着される面状ファスナーと、前記複数の脚部の背面部の一部又は全体に装着される補強片とを備え、前記複数の差込片において、隣り合う差込片同士の下方側面が密着している又は正面から見て重なり合っている構成とする。
【００１０】
また、前記線条体が金属線であることが好ましい。
【００１１】
また、前記複数の差込片の本数が２８本以上３０本以下であることが好ましい。
【００１２】
また、前記複数の差込片において、正面から見て両端部に配置されている所定本数の差込片が、それ以外の差込片よりも上方に延びていることが好ましい。
【考案の効果】
【００１３】
本考案に係る頭部装着体の着用具によると、隣り合う差込片同士の下方側面が密着している又は正面から見て重なり合っているので、隣り合う差込片同士の側面が離れている構成である特許文献１で提案されている着用具に比して、差込片が頭部毛髪に強く食い込む。したがって、本考案に係る頭部装着体の着用具は、特許文献１で提案されている着用具に比して、耐強風性能に優れている。
【図面の簡単な説明】
【００１４】
【図１】本考案の第１実施形態に係る着用具を帽子に装着した状態を示す一部切欠斜視図である。
【図２】本考案の第１実施形態に係る着用具の正面図である。
【図３】図２におけるＸ−Ｘ線断面図と帽子の部分断面図とを示す図である。
【図４】本考案の第１実施形態に係る着用具の変形例を示す正面図である。
【図５】本考案の第１実施形態に係る着用具の他の変形例を示す断面図である。
【図６】本考案の第２実施形態に係る着用具の正面図である。
【図７】本考案の第３実施形態に係る着用具の正面図である。
【考案を実施するための形態】
【００１５】
本考案の実施形態について図面を参照して以下に説明する。なお、各図面において同一の部分には同一の符号を付す。
【００１６】
＜第１実施形態＞
図１は本考案の第１実施形態に係る着用具１を帽子Ｈに装着した状態を示す一部切欠斜視図である。図２は本考案の第１実施形態に係る着用具１の正面図である。図３は図２におけるＸ−Ｘ線断面図と帽子Ｈの部分断面図とを示す図である。図４は、本考案の第１実施形態に係る着用具１の変形例を示す正面図である。図５は、本考案の第１実施形態に係る着用具１の他の変形例を示す断面図である。
【００１７】
本考案の第１実施形態に係る着用具１は、頭部装着体（例えば、帽子やサンバイザー等）に対して着脱自在な着用具であって、例えば図１に示すように、鍔部Ｈ１と、帽体Ｈ２と、帽体Ｈ２の内周縁に縫着された汗取りリボンＨ３からなる帽子Ｈに装着される。
【００１８】
図２に示す通り、本考案の第１実施形態に係る着用具１は、上方を頭部毛髪へ差し込むための２０本の差込片２ａとし、下方を２１本の脚部２ｂとするコーム体２と、２１本の脚部２ｂの正面部の全体に装着される面状ファスナー３と、２１本の脚部２ｂの背面部の全体に装着される補強片４とを備えている。
【００１９】
コーム体２は、線条体を一体的に曲成してほぼ直立状としている。これにより、コーム体２自体の製造や、コーム体２への面状ファスナー３及び補強片４の装着が容易になるため、製造コストを抑えることができる。なお、コーム体２の材料となる線条体は、鉄線、鋼線又は硬鋼線等の金属線が好ましい。
【００２０】
差込片２ａの先端部は先細状になっており、隣り合う差込片２ａ同士の先端部（上方）側面は密着していないが、隣り合う差込片２ａ同士の非先端部（下方）側面は密着している。本考案の第１実施形態に係る着用具１は、上記のように、隣り合う差込片２ａ同士の非先端部（下方）側面が密着しているので、隣り合う差込片２ａ同士の側面が離れている構成である特許文献１で提案されている着用具に比して、差込片２ａが頭部毛髪に強く食い込む。したがって、本考案の第１実施形態に係る着用具１は、特許文献１で提案されている着用具に比して、耐強風性能に優れている。
【００２１】
面状ファスナー３は、例えば、フックとループが同一面に植設されているフリーマジック（登録商標）が好適である。面状ファスナー３の表面（ファスナー面）３ａが本考案の第１実施形態に係る着用具１の正面に配置される（図２及び図３参照）。図３に示す通り、面状ファスナー３の裏面には接着剤５が塗布されており、接着剤５の塗布巾面のほぼ上半分でコーム体２の脚部２ｂに貼付される。また、本考案の第１実施形態に係る着用具１の装飾性を高めるために、面状ファスナー３の表面は、白、赤、黒、青、黄、緑又はその他のカラフルな色彩であることが好ましい。
【００２２】
補強片４は、面状ファスナー３の補強と本考案の第１実施形態に係る着用具１の装飾とを目的とするものである。補強片４は、例えば、紙、布、ファイバー、合成樹脂、金属又はこれらの組み合わせによって構成するとよい。補強片４の表面４ａが本考案の第１実施形態に係る着用具１の背面に配置される（図２及び図３参照）。補強片４の表面４ａは、面状ファスナー３の表面３ａと同色であってもよく異色であってもよい。図３に示す通り、補強片４の裏面には接着剤６が塗布されており、接着剤６の塗布巾面のほぼ上半分でコーム体２の脚部２ｂに貼付される。また、面状ファスナー３の裏面の下半分と補強片４の裏面の下半分とは接着剤５及び６によって貼着されている。なお、図２においては、補強片４を見易くするため、補強片４を面状ファスナー３より一回り大きくしたが、補強片４は面状ファスナー３と同一のサイズにすることが好ましい。
【００２３】
本考案の第１実施形態に係る着用具１の付属部品である面状ファスナー７は、汗取りリボンＨ３の裏面上部に接着剤８を介して裏面が貼付され、面状ファスナー３の表面（ファスナー面）３ａと面状ファスナー７の表面（ファスナー面）７ａとが接合可能な位置に配置される。なお、面状ファスナー７の裏面に接着剤８を予め設け、接着剤８の表面に離型紙（不図示）を付けた状態で流通させ、使用時に離型紙（不図示）を剥離する形態にすることが好ましい。
【００２４】
本考案の第１実施形態に係る着用具１を帽子Ｈに装着する際には、図３に示す矢印方向に本考案の第１実施形態に係る着用具１の面状ファスナー３の表面（ファスナー面）３ａを面状ファスナー７の表面に押し当てて、面状ファスナー３の表面（ファスナー面）３ａと面状ファスナー７の表面（ファスナー面）７ａとを接合する。これにより、本考案の第１実施形態に係る着用具１が汗取りリボンＨ３に固着される。なお、帽子Ｈを洗浄するときは、一方の手で汗取りリボンＨ３に貼付された面状ファスナー７の端部の一端を掴み、これに対応する面状ファスナー３の部位を他方の手で牽引すれば、面状ファスナー３と面状ファスナー７とは容易に離反し、帽子Ｈは汗取りリボンＨ３に面状ファスナー７が貼付された状態のまま洗浄することができる。
【００２５】
なお、本考案の第１実施形態に係る着用具１では、面状ファスナー３が２１本の脚部２ｂの正面部の全体に装着され、補強片４が２１本の脚部２ｂの背面部の全体に装着されているが、図４に示すように、面状ファスナー３が２１本の脚部２ｂの正面部の一部に装着され、補強片４が２１本の脚部２ｂの背面部の一部に装着される構成であっても構わない。
【００２６】
また、本考案の第１実施形態に係る着用具１では、面状ファスナー３が接着剤５のみを介してコーム体２の脚部２ｂに装着されているが、図５に示すように、面状ファスナー３が接着剤５、薄板状の取付片９、及び接着剤１０を介して、コーム体２の脚部２ｂに装着される構成であっても構わない。
【００２７】
また、本考案の第１実施形態に係る着用具１では、隣り合う差込片２ａ同士の非先端部（下方）側面が密着しているが、隣り合う差込片２ａ同士の非先端部（下方）側面が正面から見て重なり合う構成であっても構わない。この場合、例えば、差込片２ａが１本毎に正面から見て前後が入れ替わるように配置するとよい。
【００２８】
＜第２実施形態＞
図６は本考案の第２実施形態に係る着用具１１の正面図である。
【００２９】
本考案の第１実施形態に係る着用具１では差込片２ａの本数が２０本であったが、より一層優れた耐強風性能を得るためには、差込片２ａの本数が２８本以上３０本以下であることが好ましい。本考案の第２実施形態に係る着用具１１は、この好適な構成の一例であって、差込片２ａの本数を３０本にしている。
【００３０】
なお、本考案の第２実施形態に係る着用具１１においても、本考案の第１実施形態に係る着用具１と同様に、図４や図５に示す変形と同様の変形、又は、隣り合う差込片２ａ同士の非先端部（下方）側面が正面から見て重なり合う構成への変形が可能である。
【００３１】
＜第３実施形態＞
図７は本考案の第３実施形態に係る着用具１２の正面図である。
【００３２】
本考案の第１実施形態に係る着用具１や本考案の第２実施形態に係る着用具１１では差込片２ａの高さが全て同じであったが、より一層優れた耐強風性能を得るためには、正面から見て両端部に配置されている所定本数の差込片２ａが、それ以外の差込片２ａよりも上方に延びている構成であることが好ましい。本考案の第３実施形態に係る着用具１２は、この好適な構成の一例であって、正面から見て左端部に配置されている２本の差込片２ａ及び正面から見て右端部に配置されている２本の差込片２ａが、それ以外の１６本の差込片２ａよりも上方に延びている構成にしている。着用具の両端が風等の影響を最も受けることになるので、差込片２ａが頭部毛髪に食い込む度合いを着用具の両端において強くすることができる本実施形態の構成は、耐強風性能の向上に有効である。
【００３３】
なお、本考案の第３実施形態に係る着用具１２においても、本考案の第１実施形態に係る着用具１と同様に、図４や図５に示す変形と同様の変形、又は、隣り合う差込片２ａ同士の非先端部（下方）側面が正面から見て重なり合う構成への変形が可能である。また、本考案の第３実施形態に係る着用具１２においても、本考案の第２実施形態に係る着用具１２と同様に、差込片２ａの本数を最適化（２８本以上３０本以下）することができる。
【符号の説明】
【００３４】
１  本考案の第１実施形態に係る着用具
２  コーム体
２ａ  差込片
２ｂ  脚部
３、７  面状ファスナー
４  補強片
５、６、８、１０  接着剤
９  取付片
１１  本考案の第２実施形態に係る着用具
１２  本考案の第３実施形態に係る着用具
Ｈ  帽子
Ｈ１  鍔部
Ｈ２  帽体
Ｈ３  汗取りリボン
【図１】
0003163981.tif 000003
【図２】
0003163981.tif 000004
【図３】
0003163981.tif 000005
【図４】
0003163981.tif 000006
【図５】
0003163981.tif 000007
【図６】
0003163981.tif 000008
【図７】
0003163981.tif 000009